(57)【要約】【課題】本発明は通過損失のばらつきの小さなフィルタ装置を提供することを目的とするものである。【解決手段】本発明は、この課題を解決するために上下方向に開口部を有した長方形または正方形の枠体２５と、前記開口部を覆う蓋体２６と、枠体２５内に設けられた共振素子２７を有し、枠体２５は側面２５ａと、側面２５ａに対向して設けられた側面２５ｂと、側面２５ａ、側面２５ｂの一方端に接続された側面２５ｃと、側面２５ｃに対向する側面２５ｄを有し、側面２５ｃと側面２５ｄは側面２５ａから一体に折り曲げて形成されるとともに、側面２５ｂは側面２５ｃから一体に折り曲げて形成され、側面２５ｂと側面２５ｄの接合部ははんだ３２で接続されたものである。これにより、空洞部３０の角にはんだ３２が不要となる。【選択図】図１
2011250050.tif 000002
【特許請求の範囲】
【請求項１】
高周波信号が入力される入力端子と、この入力端子が装着されるとともに、前記高周波信号が供給され、前記高周波信号の中で規定の周波数の信号を通過させて出力するフィルタ部と、このフィルタ部から出力された信号を出力する出力端子を備え、前記フィルタ部には、上下方向に開口部を有した長方形または正方形の枠体と、前記開口部を覆う蓋体と、前記枠体内に設けられた共振素子を有し、前記枠体は第１の横側面と、この第１の横側面に対向して設けられた第２の横側面と、前記第１と第２の横側面の一方端に接続された第１の縦側面と、この第１の縦側面に対向するとともに、前記第１と第２の横側面の他方端に接続された第２の縦側面とを有したフィルタ装置において、前記第１と第２の縦側面は前記第１の横側面から一体に折り曲げて形成されるとともに、前記第２の横側面は前記第１の縦側面から一体に折り曲げて形成され、前記第２の横側面と前記第２の縦側面との接合部は接続部材で接続されたフィルタ装置。
【請求項２】
高周波信号が入力される入力端子と、この入力端子が装着されるとともに、前記高周波信号が供給され、前記高周波信号の中で規定の周波数の信号を通過させて出力するフィルタ部と、このフィルタ部から出力された信号を出力する出力端子を備え、前記フィルタ部には、上下方向に開口部を有した長方形または正方形の枠体と、前記開口部を覆う蓋体と、前記枠体の側面に直交して立設された第１の仕切り部と、この第１の仕切り部によって前記枠体内の空間が分割されて形成された第１と第２の空洞部と、前記第１と第２の空洞部を連結する結合部と、前記第１と第２の空洞部のそれぞれに設けられた共振素子を有したフィルタ装置において、前記仕切り部には前記第１の空洞部の側面を形成する第１の仕切り板と、前記第２の空洞部の側面を形成する第２の仕切り板を設け、前記第１と第２の仕切り板はともに前記枠体から折り曲げられて、前記枠体と一体に形成されるとともに、前記第２の仕切り板は、前記仕切り部の先端において、前記第１の仕切り板から折り返されて、一体に形成されたフィルタ装置。
【請求項３】
高周波信号が入力される入力端子と、この入力端子が装着されるとともに、前記高周波信号が供給され、前記高周波信号の中で規定の周波数の信号を通過させて出力するフィルタ部と、このフィルタ部から出力された信号を出力する出力端子を備え、前記フィルタ部には、少なくとも一方に開口部を有した長方形または正方形の枠体と、前記開口部を覆う蓋体と、前記枠体の側面に直交するとともに、前記枠体の側面に接続部材を介して立設された第１の仕切り部と、この第１の仕切り部によって前記枠体内の空間が分割されて形成された第１と第２の空洞部と、前記第１と第２の空洞部を連結する結合部と、前記第１と第２の空洞部のそれぞれに設けられた共振素子を有したフィルタ装置において、前記第１の仕切り部には前記第１の空洞部の側面を形成する第１の仕切り板と、前記第２の空洞部の側面を形成する第２の仕切り板と、前記第１の仕切り部の根元において前記枠体の側面と対向して設けられるとともに、少なくとも前記第１の仕切り板と前記第２の仕切り板のいずれか一方に連結された接続部を設け、前記第２の仕切り板は前記第１の仕切り部の先端において前記第１の仕切り板から折り返されて一体に形成されるとともに、前記接続部は前記第１の仕切り板もしくは前記第２の仕切り板から折り曲げられて前記仕切り部と一体に形成され、前記接続部が前記接続部材で前記側面へ固定されたフィルタ装置。
【請求項４】
枠体内には、複数の仕切り部を有し、前記仕切り部の接続部同士は連結された請求項３に記載のフィルタ装置。
【請求項５】
高周波信号が入力される入力端子と、この入力端子が装着されるとともに、前記高周波信号が供給され、前記高周波信号の中で規定の周波数の信号を通過させて出力するフィルタ部と、このフィルタ部から出力された信号を出力する出力端子を備え、前記フィルタ部には、少なくとも一方に開口部を有した長方形または正方形の枠体と、前記開口部を覆う蓋体と、前記枠体の側面に直交するとともに、前記枠体の側面に接続部材を介して立設された第１の仕切り部と、この第１の仕切り部によって前記枠体内の空間が分割されて形成された第１と第２の空洞部と、前記第１と第２の空洞部を連結する結合部と、前記第１と第２の空洞部のそれぞれに設けられた共振素子を有したフィルタ装置において、前記フィルタ部には、前記第１の仕切り部と直交して設けられるとともに、第１の側面と平行に配置された第２の仕切り部と、この第２の仕切り部によって第１の空洞部内の空間が分割されて形成された第３と第４の空洞部と、これら第３と第４の空洞部を連結する結合部とを有し、前記第２の仕切り部には前記第３の空洞部の側面を形成する第３の仕切り板と、前記第４の空洞部の側面を形成する第４の仕切り板を設け、この第４の仕切り板は前記第２の仕切り部の先端において前記第３の仕切り板から折り返されて一体に形成されるとともに、前記第２の仕切り部の根元において前記第３と第４の仕切り板はそれぞれ前記第１の仕切り板から折り曲げられて一体に形成された請求項３に記載のフィルタ装置。
【請求項６】
第１の仕切り部は、Ｌ字型に折り曲げられて形成された請求項３または５に記載のフィルタ装置。
【請求項７】
高周波信号が入力される入力端子と、この入力端子が装着されるとともに、前記高周波信号が供給され、前記高周波信号の中で規定の周波数の信号を通過させて出力するフィルタ部と、このフィルタ部から出力された信号を出力する出力端子を備え、前記フィルタ部には、少なくとも一方に開口部を有した長方形または正方形の枠体と、前記開口部を覆う蓋体と、前記枠体の側面に直交するとともに、前記枠体の側面に接続部材を介して立設された第１の仕切り部と、この第１の仕切り部の先端に設けられるとともに、前記枠体の側面と平行に設けられた第２の仕切り部と、この第２の仕切り部によって前記枠体内の空間が分割されて形成された第１と第２の空洞部と、この第１と第２の空洞部を連結する結合部と、前記第１の仕切り部によって前記第１の空洞部が分割されて形成された第３と第の空洞部と、前記第１から第３の空洞部のそれぞれに設けられた共振素子を有したフィルタ装置において、前記第１の仕切り部には前記第３の空洞部の側面を形成する第１の仕切り板と、前記第４の空洞部の側面を形成する第２の仕切り板とを有するとともに、前記第２の仕切り部には前記第３の空洞部の側面を形成する第３の仕切り板と、前記第４の空洞部の側面を形成する第４の仕切り板と、前記第１の空洞部の側面を形成する第５の仕切り板を有し、前記第３と第４の仕切り板は前記第２の仕切り部の先端においてそれぞれ前記第５の仕切り板から折り返されて一体に形成されるとともに、前記第１の仕切り部の先端では、前記第３の仕切り板が前記第１の仕切り板から折り曲げられて一体に形成されるとともに、前記第４の仕切り板が前記第２の仕切り板から折り曲げられて一体に形成されたフィルタ装置。
【請求項８】
第１の仕切り部の根元には、前記枠体の側面と対向して設けられるとともに、少なくとも前記第１と第２の仕切り板のいずれか一方に連結された接続部を設け、この接続部は前記第１の仕切り板もしくは前記第２の仕切り板から折り曲げられて前記第１の仕切り部と一体に形成され、前記接続部が前記接続部材で前記枠体の側面へ固定された請求項５または７に記載のフィルタ装置。
【請求項９】
折り曲げられた箇所にはＶ溝が設けられた請求項１から８に記載のフィルタ装置。
【請求項１０】
Ｖ溝は、折り曲げの外側となる側に設けられた請求項９に記載のフィルタ装置。
【発明の詳細な説明】
【技術分野】
【０００１】
本発明は、通信用の基地局などに用いられるフィルタ装置に関するものである。
【背景技術】
【０００２】
以下、従来のフィルタ装置１について図面を用いて説明する。図８（ａ）は従来のフィルタ装置の蓋を外した状態の上面図であり、図８（ｂ）は、同フィルタ装置の断面図であり、図９は、同フィルタ装置の枠体の展開図である。図８（ａ）、図８（ｂ）、図９において、従来のフィルタ装置１は、高周波信号が入力される入力コネクタ２と、この入力コネクタ２が固定されたフィルタ部３と、フィルタ装置１からの出力信号が出力される出力コネクタ４とから構成されている。
【０００３】
ここで、フィルタ部３は、上側に開口を有した金属製の枠体３ａと、この枠体３ａに装着される金属製の蓋体３ｂとから構成されている。なお、枠体３ａの上面には開口を有し、蓋体３ｂが開口を覆うように装着される。
【０００４】
この枠体３ａ内部には、金属製の仕切り板５が装着されている。この仕切り板５によって枠体３ａ内の空間が分離され、複数の空洞６が形成される。本実施の形態では、２本の仕切り板５が装着され、枠体３ａ内を３つの空洞６が形成される。これらそれぞれの空洞６のほぼ中央には、共振素子７が固定されている。さらに、仕切り板５には、隣り合う空洞６同士を連結する結合部８が形成されている。この結合部８は、隣り合う共振素子７（あるいは空洞６）同士を電磁的に結合するものである。
【０００５】
以上のようなフィルタ装置１の製造方法を説明する。枠体３ａはプレス加工によって形成される。そのとき、図９に示すような形状へと打ち抜かれる。そして曲げ箇所１１で折り曲げられて底部と、この底部の周縁に立設された側板とが形成された枠体３ａが完成する。一方、仕切り板５や蓋体３ｂや共振素子７もプレス加工により、加工される。
【０００６】
プレス加工によって枠体３ａ、仕切り板５、蓋体３ｂ、共振素子７の準備ができた後で、これらを所定の位置に配置して、組み立てる。この組み立て工程の後で、各空洞６の角となる箇所（仕切り板５と枠体３ａとの接合箇所、枠体３ａの側板同士の接合箇所）や、枠体３ａと蓋体３ｂとの間の接合部や、仕切り板５と蓋体３ｂの接合部へペースト状の金属製の接合部材９を塗布し、その後に枠体３ａの開口へ蓋体３ｂを装着する。なお、このとき仕切り板５と枠体３ａとの接合部には、ディスペンサなどによって、クリーム状の接合部材９が塗布される。そしてこの状態で加熱することによって、各接合部へ塗布した接合部材９が溶けて、それぞれの接合部がロウ付けされる。このようにして製造されたフィルタ部３に対し、入力コネクタ２や出力コネクタ４を固定されてフィルタ装置１が完成する。
【０００７】
なお、この出願の発明に関連する先行技術文献情報としては、例えば、特許文献１が知られている。
【先行技術文献】
【特許文献】
【０００８】
【特許文献１】特開２００９−２１８６６２号公報
【発明の概要】
【発明が解決しようとする課題】
【０００９】
しかしながら従来のフィルタ装置１において、仕切り板５と枠体３ａとの接合部や枠体３ａ同士の接合部では、接合部材９での接合方向が縦方向となる。つまり、このような接合部へ接合部材９を塗布する場合には、ディスペンサなどを用いて塗布することが必要となり、塗布量にばらつきが生じやすくなる。加えて、接合部材９が多くなる方向にばらついたような合、加熱時に接合部材９が下方へ流れ、接合部の下端近傍に接合部材９による溜まりなどが生じることとなる。そしてこれらの要因により、接合部（空洞の角の部分）の形状にばらつきが生じ、空洞の形状にばらつきが生じる。したがって通過特性（損失）のばらつきが大きくなるという課題を有していた。
【００１０】
そこで本発明は、この問題を解決したもので、通過特性のばらつきの小さなフィルタ装置を提供することを目的としたものである。
【課題を解決するための手段】
【００１１】
この目的を達成するために、第１と第２の縦側面は第１の横側面から一体に折り曲げて形成されるとともに、第２の横側面は前記第１の縦側面から一体に折り曲げて形成され、前記第２の横側面と前記第２の縦側面との接合部は接続部材で接続されるものである。
【００１２】
あるいは、仕切り部には第１の空洞部の側面を形成する第１の仕切り板と、第２の空洞部の側面を形成する第２の仕切り板を設け、前記第１と第２の仕切り板はともに枠体から折り曲げられて、前記枠体と一体に形成されるとともに、前記第２の仕切り板は、前記仕切り部の先端において、前記第１の仕切り板から折り返されて、一体に形成されるものである。
【００１３】
あるいは、仕切り部には第１の空洞部の側面を形成する第１の仕切り板と、第２の空洞部の側面を形成する第２の仕切り板と、前記第１の仕切り部の根元において枠体の側面と対向して設けられるとともに、少なくとも前記第１の仕切り板と前記第２の仕切り板のいずれか一方に連結された接続部を設け、前記第２の仕切り板は前記第１の仕切り部の先端において前記第１の仕切り板から折り返されて一体に形成されるとともに、前記接続部は前記第１の仕切り板もしくは前記第２の仕切り板から折り曲げられて前記仕切り部と一体に形成され、前記接続部が前記接続部材で前記側面へ固定される。そしてこれらにより所期の目的を達成できる。
【発明の効果】
【００１４】
以上のように本発明によれば、第１と第２の縦側面は前記第１の横側面から一体に折り曲げて形成されるとともに、前記第２の横側面は前記第１の縦側面から一体に折り曲げて形成され、前記第２の横側面と前記第２の縦側面との接合部は接続部材で接続する。もしくは、仕切り部には前記第１の空洞部の側面を形成する第１の仕切り板と、前記第２の空洞部の側面を形成する第２の仕切り板を設け、前記第１と第２の仕切りはともに枠体から折り曲げられて、前記枠体と一体に形成されるとともに、前記第２の仕切り板は、前記仕切り部の先端において、前記第１の仕切り板から折り返されて、一体に形成されることにより、枠体と仕切りあるいは、仕切り同士を一体に形成する。
【００１５】
またもうひとつの発明によれば、仕切り部には前記第１の空洞部の側面を形成する第１の仕切り板と、前記第２の空洞部の側面を形成する第２の仕切り板を設け、前記第１と第２の仕切りはともに前記枠体から折り曲げられて、前記枠体と一体に形成されるとともに、前記第２の仕切り板は、前記仕切り部の先端において、前記第１の仕切り板から折り返されて、一体に形成する。
【００１６】
さらにもうひとつの発明によれば、第１の仕切り部には前記第１の空洞部の側面を形成する第１の仕切り板と、前記第２の空洞部の側面を形成する第２の仕切り板と、前記第１の仕切り部の根元において前記枠体の側面と対向して設けられるとともに、少なくとも前記第１の仕切り板と前記第２の仕切り板のいずれか一方に連結された接続部を設け、前記第２の仕切り板は前記第１の仕切り部の先端において前記第１の仕切り板から折り返されて一体に形成されるとともに、前記接続部は前記第１の仕切り板もしくは前記第２の仕切り板から折り曲げられて前記仕切り部と一体に形成され、前記接続部が前記接続部材で前記側面へ固定する。
【００１７】
さらに加えて、もうひとつの発明によれば、第１の仕切り部には前記第３の空洞部の側面を形成する第１の仕切り板と、前記第４の空洞部の側面を形成する第２の仕切り板とを有するとともに、前記第２の仕切り部には前記第３の空洞部の側面を形成する第３の仕切り板と、前記第４の空洞部の側面を形成する第４の仕切り板と、前記第１の空洞部の側面を形成する第５の仕切り板を有し、前記第３と第４の仕切り板は前記第２の仕切り部の先端においてそれぞれ前記第５の仕切り板から折り返されて一体に形成されるとともに、前記第１の仕切り部の先端では、前記第３の仕切りが前記第１の仕切り板から折り曲げられて一体に形成されるとともに、前記第４の仕切り板が前記第２の仕切り板から折り曲げられて一体に形成されたものである。
【００１８】
これにより、空洞部の角が接続部材によって接続されていないので、空洞部の形状にばらつきを少なくできる。したがって通過特性のばらつきの小さなフィルタ装置を実現できる。
【図面の簡単な説明】
【００１９】
【図１】（ａ）本実施の形態におけるフィルタ装置の蓋を開けた状態の上面図、（ｂ）同、フィルタ装置の断面図
【図２】同、第２の例のフィルタ装置の蓋を開けた状態の上面図
【図３】同、第３の例のフィルタ装置の蓋を開けた状態の上面図
【図４】同、第４の例のフィルタ装置の蓋を開けた状態の上面図
【図５】同、第５の例のフィルタ装置の蓋を開けた状態の上面図
【図６】同、第６の例のフィルタ装置の蓋を開けた状態の上面図
【図７】同、第７の例のフィルタ装置の蓋を開けた状態の上面図
【図８】（ａ）従来のフィルタ装置の蓋を開けた状態の上面図、（ｂ）同、フィルタ装置の断面図
【図９】同、フィルタ装置の枠体の展開図
【発明を実施するための形態】
【００２０】
以下、本実施の形態におけるフィルタ装置について図面を用いて説明する。
【００２１】
（実施の形態１）
図１は（ａ）本実施の形態におけるフィルタ装置の蓋を開けた状態の上面図であり図１（ｂ）同、フィルタ装置の断面図である。図１（ａ）、図１（ｂ）において、図８と同じものには、同じ名称と符号を用い、その説明は簡略化している。図１（ａ）、図１（ｂ）において、本実施の形態におけるフィルタ装置２１は、アンテナ（図示せず）に入力された高周波信号が供給される入力コネクタ２２（入力端子の一例として用いた）と、この入力コネクタ２２に入力された高周波信号の中で規定の周波数の信号を通過させて出力するフィルタ部２３と、このフィルタ部２３を通過した信号が出力される出力コネクタ２４（出力端子の一例として用いた）とを含んでいる。このフィルタ部２３はいわゆる空洞フィルタであり（エアーキャビティフィルタともいう）、枠体２５と、蓋体２６と、共振素子２７と、仕切り部２８と、結合部２９とを含み、仕切り部２８によって枠体２５内の空間が区切られて、複数の空洞部３０が形成されたものである。本実施の形態においては、枠体２５内に３つの空洞部３０が形成される。
【００２２】
なお枠体２５、蓋体２６、共振素子２７や仕切り部２８には、少なくとも表面に金属層を有するような材料を用いる。たとえば、樹脂上に金属膜が形成されたものを用いてもよい。ただしそれらの表面は、導電性の良好な材料とすることが必要である。そこで、本実施の形態においては、銅メッキ鋼板を用いている。つまり、中心は一般の圧延鋼板であり、その両面に銅メッキが施された表面処理鋼板を用いている。このように表面処理鋼板を用いると、安価なフィルタ装置２１を実現できる。なお本実施の形態では表面処理鋼板を用いたが、銅板を用いてもよい。表面処理鋼板の中心は鉄であり、磁性材料である。したがって、この切断面などでこの鉄が露出した状態となると、フィルタ装置２１の挿入損失が大きくなる。そこで、枠体２５、蓋体２６、共振素子２７や仕切り部２８に、導電性が高く、かつ非磁性体である材料を用いれば、挿入損失の小さなフィルタ装置２１を得ることができる。
【００２３】
そして本実施の形態において、共振素子２７はそれぞれの空洞部３０の中央に装着される。このとき、結合部２９（仕切り部２８の不形成でもある）は隣接する空洞部３０同士が連結されており、これにより隣接する空洞部３０（あるいは共振素子２７）同士が、電磁的に結合された状態となる。本実施の形態における共振素子２７は下側の蓋体２６に装着されているが、これは上側の蓋体２６や枠体２５などに装着してもかまわない。
【００２４】
そして枠体２５の上下の開口部を覆うように蓋体２６が装着されて、フィルタ装置２１が完成する。なお、本実施の形態において、共振素子２７ははんだ（図示せず）によって蓋体２６へロウ付けされる。また、枠体２５や仕切り部２８との上面は、上側の蓋体２６とはんだ３２によってロウ付けされる。さらに枠体２５や仕切り部２８の下面は、下側の蓋体２６とはんだ３２によってロウ付けされる。
【００２５】
では、各構成について詳細に説明する。枠体２５は中空状の四角形であり、上方と下方とに開口部を有している。本実施の形態では長方形状の形状をなしているが、これは正方形でもかまわない。本実施の形態において、枠体２５は、側面２５ａ（横側面の一例として用いた）と、この側面２５ａに対向して設けられた側面２５ｂ（もう一方の横側面の一例として用いた）と、側面２５ａと側面２５ｂの一方端に接続され、これらの側面２５ａや側面２５ｂと隣り合い、かつ直交するように設けられた側面２５ｃ（縦側面の一例として用いた）と、この側面２５ｃと対向し、側面２５ａや側面２５ｂの他方端と接続された側面２５ｄ（もう一方の縦側面の一致として用いた）から構成されている。
【００２６】
そして本実施の形態において側面２５ｃは、側面２５ｃと側面２５ａの接合部で側面２５ａから折り曲げられて、側面２５ｄと一体に形成される。次に側面２５ｄは、側面２５ａと側面２５ｄの接合部で側面２５ａから折り曲げられて、側面２５ａと一体に形成される。さらに側面２５ｂは、側面２５ｂと側面２５ｃの接合部で側面２５ｃが折り曲げられて、側面２５ｃと一体に形成される。すなわちこれら側面２５ａ、側面２５ｂ、側面２５ｃ、側面２５ｄは、一枚の平板が、各側面の角において折り曲げられることにより、ロの字型に形成されることにより形成される。
【００２７】
ここで側面２５ｂの先端には、側面２５ｄの外面と対向するように設けられた接続片３１が設けられている。なお本実施の形態では、接続片３１と側面２５ｄとは、スポット溶接などで固定される。ただし、側面２５ｄと側面２５ｂとの接合部において隙間があると、フィルタ装置２１の通過損失が大きくなるので、側面２５ｂと側面２５ｄの接合部ははんだ３２（接続部材の一例として用いた）によってロウ付けしている。
【００２８】
ここで、本実施の形態に示す空洞フィルタでは、空洞の形状の寸法精度によって通過特性（挿入損失）が変化する。そこで、以上のような構成のように、側面２５ａと側面２５ｃとの角や、側面２５ａと側面２５ｄの角や、側面２５ｃと側面２５ｄの角において、各側面を折り曲げて、一体に形成する。これにより、空洞部３０の角（詳しくは側面２５ａと側面２５ｃとの角や、側面２５ａと側面２５ｄの角や、側面２５ｃと側面２５ｄの角）には、はんだを塗布する必要がないので、はんだ量のばらつきなどによって生じるはんだ３２の溜まりや、はんだ３２の不足などが生じず、空洞部３０の形状の寸法精度を高くできる。したがって挿入損失のばらつきの小さなフィルタ装置２１を実現できる。
【００２９】
本実施の形態における枠体２５には、側面２５ａと側面２５ｃの接合部、側面２５ｃと側面２５ｂの接合部や、側面２５ａと側面２５ｄの接合部にＶ溝（図示せず）をいれてある。これにより、容易に折り曲げることができる。さらに精度良く折り曲げることができるので、空洞部３０の寸法精度が高くでき、挿入損失のばらつきを小さくできる。
【００３０】
このとき、枠体２５や仕切り部２８を構成する材料として、表面処理鋼板を用いた場合（中心に磁性材料を有する場合）、接合部（折り曲げ箇所）において中心の磁性材料が露出しないように加工することが重要である。そのために本実施の形態では、Ｖ溝を曲げ外側となる面に形成することが望ましい。
【００３１】
ここで本実施の形態におけるフィルタ装置２１は、側面２５ａに入力コネクタ２２が装着され、側面２５ｂに出力コネクタ２４が装着され、３段の空洞部３０が１列に並んで連結される。次にこれらの空洞部３０を仕切る仕切り部２８について詳細に説明する。本実施の形態における仕切り部２８は、枠体２５の側面２５ａや側面２５ｂに直交（側面２５ｃ、側面２５ｄに平行）となるべく、側面２５ａや側面２５ｂのそれぞれに立設されている。なお仕切り部２８は仕切り部２８と枠体２５との接合部において、枠体２５から折り曲げられて、枠体２５と一体に形成された構成としている。
【００３２】
本実施の形態において、このような仕切り部２８は６箇所設けられているが、それらはすべて同じ構成であるので、ここでは代表してそのうちの１箇所である仕切り部２８ａについて説明する。仕切り部２８ａによって空洞部３０ａと、この空洞部３０ａに隣接した空洞部３０ｂとが形成される。そして、仕切り部２８ａには、空洞部３０ａの側面を形成する仕切り板３３ａと、空洞部３０ｂの側面を形成する仕切り板３３ｂとを有している。ここで仕切り板３３ａは、側面２５ａと仕切り板３３ａとの接合部において、側面２５ａから折り曲げられて、側面２５ａと一体に形成されている。また仕切り板３３ｂは側面２５ａと仕切り板３３ｂの接合部において、側面２５ａから折り曲げられて、側面２５ａと一体に形成されている。さらに、仕切り板３３ａと仕切り板３３ｂとは、仕切り部２８ａの先端（結合部２９の側面を形成する）において連結されており、仕切り板３３ａが仕切り板３３ｂから折り返されて形成されている、いわゆるヘミング曲げによって形成されている。そして本例においては、これら対向面に設けられた仕切り部２８の先端の間が結合部２９となる。したがって、表面処理鋼板を用いた場合でも、結合部２９において鋼板が露出しない。したがって、挿入損失の小さなフィルタ装置２１を得ることができる。もちろん、仕切り部２８先端において、仕切り板３３ａと仕切り板３３ｂとは折り返されることで一体に形成されるので、仕切り部２８の先端にもはんだ３２を塗布する必要がない。したがって、結合部２９においてもはんだ３２の溜まりなどが発生せず、ばらつきの小さなフィルタ装置２１を実現できる。
【００３３】
本実施の形態における枠体２５には、側面２５ａと仕切り板３３ａの接合部、側面２５ａと仕切り板３３ｂの接合部（仕切り部２８と側面の接合部すべて）にＶ溝（図示せず）をいれてある。これにより、容易に折り曲げることができる。さらに精度良く折り曲げることができるので、空洞部３０の寸法精度が高くでき、挿入損失のばらつきを小さくできる。
【００３４】
このとき、枠体２５や仕切り部２８を構成する材料として、表面処理鋼板を用いた場合（中心に磁性材料を有する場合）、接合部（折り曲げ箇所）において中心の磁性体が露出しないように加工することが重要である。そのために本実施の形態では、Ｖ溝を曲げ外側となる面に形成することが望ましい。
【００３５】
以上のような構成によって、各空洞部３０の角（仕切り部２８と枠体２５の角、側面２５ａと側面２５ｃの角、側面２５ａと側面２５ｄの角、側面２５ｃと側面２５ｂの角）では、側面や仕切り部２８が隣接する側面から折り曲げられて、一体に形成される。これにより、各空洞部３０の角の箇所へはんだ３２を塗布する必要がない。したがって、はんだ量のばらつきなどによって生じるはんだ３２の溜まりや、はんだ３２の不足などが生じず、空洞部３０の形状の寸法精度を高くできる。したがって挿入損失のばらつきの小さなフィルタ装置２１を実現できる。
【００３６】
さらに、仕切り部２８は、仕切り部２８の先端において仕切り板３３ａと仕切り板３３ｂとが折り返されて、一体に形成される。したがって、この先端部にもはんだを塗布する必要がない。したがって、はんだ量のばらつきなどによって生じるはんだ３２の溜まりや、はんだ３２の不足などが生じず、空洞部３０の形状の寸法精度を高くできる。したがって挿入損失のばらつきの小さなフィルタ装置２１を実現できる。
【００３７】
図２は、第２の例におけるフィルタ装置２１の蓋を外した状態の上面図である。なお、この図２において、図１や図８と同じものには、同じ名称と符号を用いており、その説明は簡略化している。図２において本例でのフィルタ装置２１は、第１の例のフィルタ装置２１に比べ、枠体２５と仕切り部２８とが別々に構成されている点が異なる。そのために、仕切り部２８の根元には、枠体２５の側面２５ｂ（あるいは側面２５ａ）と対向するように接続部４１が形成されている。つまり接続部４１は、仕切り板３３ａ（あるいは仕切り板３３ｂ）の根元において、仕切り板３３ａ（あるいは仕切り板３３ｂ）から折り曲げられて、一体に形成される。
【００３８】
そして、接続部４１と側面２５ｂ（あるいは側面２５ａ）の間がはんだ３２によって接続される。このようにすることにより、空洞部３０の角となる箇所（仕切り部２８と接続部４１との角、側面２５ａと側面２５ｃの角、側面２５ａと側面２５ｄの角、側面２５ｃと側面２５ｂの角）には、はんだ３２を塗布する必要がなく、これらの空洞部３０の角でははんだ３２の溜まりや、はんだ３２の不足などが生じなくなり、空洞部３０の形状が安定する。したがって、通過損失のばらつきを小さくできる。
【００３９】
なお本例において、枠体２５には４本の仕切り部２８が設けられている。それらのうちで同一の側面２５ａ（あるいは側面２５ｂ）に接続された２本の仕切り部２８同士は連結されて、一体に形成されている。したがって、組み立て性が良好となり、安価なフィルタ装置２１を得ることができる。
【００４０】
図３は、第３の例におけるフィルタ装置の蓋を外した状態の上面図である。なお、この図３において、図１、図２や図８と同じものには、同じ名称と符号を用いており、その説明は簡略化している。図３において、本例のフィルタ装置２１は、第２の例におけるフィルタ装置２１に比べて、枠体２５内に４つの空洞部３０ｃ、３０ｄ、３０ｅ、３０ｆの４個を有し、上に２個、下に２個の空洞部３０が設けられた４段のフィルタである。そしてこのフィルタ装置２１では、それぞれの空洞部３０ｃから空洞部３０ｆの４つの空洞部それぞれに共振素子２７が装着される。具体的には入力コネクタ２２が装着される空洞部３０ｃの隣（図中右側）に空洞部３０ｄが形成され、この空洞部３０ｄの隣（図中では下側）に空洞部３０ｅが形成され、この空洞部３０ｅの隣（図中では左側）に空洞部３０ｆが形成される。なお、このとき空洞部３０ｆは空洞部３０ｃとも隣りあう（図中では下方向）ように配置される。このように空洞部３０が配置されるので、入力コネクタ２２と出力コネクタ２４とはどちらも側面２５ｃに装着されることとなる。また、このような場合、空洞部３０ｃと空洞部３０ｄとの間と、空洞部３０ｄと空洞部３０ｅとの間、および空洞部３０ｅと空洞部３０ｆとの間には、結合部２９が設けられる。
【００４１】
ここで本例の仕切り部２８ｂは、Ｌ字型に折り曲げられている。これにより仕切り部２８ｂは空洞部３０ｆの２側面を形成することとなり、仕切り部２８ｂの折り曲げ箇所が空洞部３０ｆの角となる。したがって、空洞部３０ｆの角において、はんだ３２が不要である。さらに、本例における他の仕切り部２８ｂは、第２の例における仕切り部２８と同様に、接続部４１が形成されており、この接続部４１によって枠体２５へはんだで接続固定されている。したがって、空洞部３０ｆや空洞部３０ｃの角（仕切り部２８ｂと接続部４１との角）にははんだ３２を塗布する必要がない。これらにより、空洞部３０の角において、はんだ溜まりやはんだ量不足が生じない。したがって、空洞部３０ｆの形状が安定し、挿入損失のばらつきの小さなフィルタ装置２１を得ることができる。
【００４２】
そしてこの例においては、仕切り部２８ｂの先端と側面２５ｂとの間に、空洞部３０ｅと空洞部３０ｆとの結合部２９が形成される。また、仕切り部２８ｂの折り曲げ外側面と側面２５ｄに装着された仕切り部２８の先端との間に、空洞部３０ｃと空洞部３０ｄとの間の結合部２９が形成される。さらに、仕切り部２８ｂの折り曲げ外側面と側面２５ａに装着された仕切り部２８の先端との間に、空洞部３０ｄと空洞部３０ｅとの結合部２９が形成されることとなる。そしてこの場合も、結合部２９は折り曲げ面や折り返し部分により形成されることとなるので、表面処理鋼板などを用いたとしても鋼板が露出しない。したがって挿入損失の小さなフィルタ装置２１を得ることができる。
【００４３】
図４は第４の例におけるフィルタ装置の蓋を外した状態の上面図である。図４において、図１から図３、および図８と同じものには、同じ名称と同じ符号を用い、その説明は簡略化している。図４において、本例におけるフィルタ装置２１は、第３の例におけるフィルタ装置２１に比べ、空洞部３０ｄと空洞部３０ｅとの間の仕切り部が、仕切り部２８ｂと一体に形成されているものである。
【００４４】
言い換えれば、本例における仕切り部２８には、仕切り部２８ｃと、仕切り部２８ｄとが設けられている。そして、仕切り部２８ｃは、空洞部３０ｃと空洞部３０ｄとによる空洞部と、空洞部３０ｅと空洞部３０ｆとによる空洞部との間を仕切ることとなる。つまり、仕切り部２８ｃには、空洞部３０ｅと空洞部３０ｆとによる空洞部の側面を形成する仕切り板３３ａと、空洞部３０ｃと空洞部３０ｄとによる空洞部の側面を形成する仕切り板３３ｂとを有している。一方仕切り部２８ｄは、空洞部３０ｅと空洞部３０ｆとの間を仕切るように設けられ、仕切り部２８ｃの途中において仕切り部２８ｃに直交（側面２５ｃあるいは側面２５ｄに平行）に設けられている。
【００４５】
そしてこの仕切り部２８ｄには、空洞部３０ｅの側面を形成する仕切り板５１ａと、空洞部３０ｆの側面を形成する仕切り板５１ｂとを有している。そして仕切り部２８ｄの根元側では、仕切り板５１ａと仕切り板５１ｂとはそれぞれ仕切り板３３ａから折り曲げられて、仕切り部２８ｃ（仕切り板３３ａ）と一体に形成される。さらに仕切り部２８ｄの先端部において、仕切り板５１ａと仕切り板５１ｂとは、折り返されて一体に形成されている。
【００４６】
このように仕切り部２８は、折り曲げによって一体に形成されているので、側面２５ｂと側面２５ｄの接合部を除き、空洞部３０の角において、はんだ３２などによる接合が不要とできる。したがって、はんだ３２の溜まりや、不足による挿入損失の値のばらつきを小さくできる。特に本例では、空洞部３０ｆや空洞部３０ｅの角（仕切り部２８ｃと仕切り部２８ｄの角）においても、はんだ３２などによる接合が不要とできる。
【００４７】
なおこの例の場合、仕切り部２８ｄの先端と側面２５ｂとの間に、空洞部３０ｅと空洞部３０ｆとの結合部２９が形成される。また、仕切り部２８ｃの先端と側面２５ｄとの間に、空洞部３０ｄと空洞部３０ｅとの間の結合部２９が形成される。さらに、側面２５ａに装着された仕切り部２８の先端と、仕切り部２８ｃ（仕切り板３３ｂ）との間に、空洞部３０ｃと空洞部３０ｄとの間の結合部２９が形成される。そしてこの例に場合においても、結合部２９は折り返しによって形成されるので、挿入損失の小さなフィルタ装置２１を得ることができる。
【００４８】
図５は、第５の例におけるフィルタ装置の蓋を外した状態の上面図である。なお図５において、図１から図４および図８と同じものには、同じ名称と符号を用いており、その説明は簡略化している。図５において、本例におけるフィルタ装置２１は、第４の例のフィルタ装置２１に比べて、側面２５ａに装着された仕切り部２８が、側面２５ｃに装着された仕切り部２８（仕切り部２８ｃ）と一体に形成されたものである。すなわち、すべての仕切りが一体に構成されている。
【００４９】
つまり、本例は仕切り板３３ｂ側にも仕切り部２８ｄが形成されたものであり、仕切り部２８ｄが空洞部３０ｃと空洞部３０ｄも仕切ることとなる。ただし、空洞部３０ｃと空洞部３０ｄとの間を仕切る仕切り部２８ｄは仕切り板３３ｂから折り曲げられて、一体に形成されている。そしてこれにより、側面２５ｂと側面２５ｄの接合部を除き、空洞部３０の角へはんだ３２を塗布する必要がない。したがって、はんだ３２の溜まりや、不足などが生じず、空洞部３０ｃや空洞部３０ｄの形状のばらつきが小さくできる。したがって、挿入損失のばらつきの小さなフィルタ装置２１を実現できる。さらにこの場合、すべての仕切り部２８は一体であるので、組み立てが容易にできる。したがって、組み立て工数が少なくでき、生産性が良好であるので、安価なフィルタ装置２１を得ることができる。
【００５０】
図６は、第６の例におけるフィルタ装置の蓋を外した状態の上面図である。図６において、図１から図５と同じものには、同じ名称と符号を用いており、その説明は簡略化している。図６において、第６の例におけるフィルタ装置２１は、第５の例におけるフィルタ装置２１に比べ、仕切り部２８ｃにおいて空洞部３０ｄと空洞部３０ｅとの間を仕切る仕切り部２８は、仕切り部２８ｃとは一体に形成されず、側面２５ｄに装着されたものである。
【００５１】
つまり、仕切り部２８ｄは、仕切り部２８ｃと直交し、かつ側面２５ｃ（あるいは側面２５ｄ）と平行に配置される。そして、本例の仕切り部２８は、仕切り部２８ｃの先端に形成されることで、Ｔ字型となっている。
【００５２】
この例の場合、仕切り部２８ｄは、空洞部３０ｄと空洞部３０ｅによる空洞部と、空洞部３０ｅと空洞部３０ｆとによる空洞部とが形成される。そして側面２５ｄに装着された仕切り部２８によって、空洞部３０ｄと空洞部３０ｅとが仕切られ、仕切り部２８ｃによって空洞部３０ｃと空洞部３０ｆとが仕切られる。これにより、仕切り部２８ｄの一方の先端と側面２５ａとの間に空洞部３０ｄと空洞部３０ｃとの間の結合部２９が設けられる。また、仕切り部２８ｄの他方端と側面２５ｂとの間に、空洞部３０ｅと空洞部３０ｆとの間の結合部２９が形成される。さらに、側面２５ｄに装着された仕切り部２８の先端と、仕切り部２８ｄの側面（仕切り板５１ａ）との間に結合部２９が形成されることとなる。そしてこの例の場合においても、結合部２９は折り返しによって形成されるので、挿入損失の小さなフィルタ装置２１を得ることができる。
【００５３】
ここで、仕切り板３３ａと仕切り板５１ｂ（仕切り板３３ａと連結され、図中において仕切り部２８ｃの下方側に配置）は空洞部３０ｆの側面を形成し、仕切り板５１ａは空洞部３０ｄと空洞部３０とによる空洞部の側面を形成し、仕切り板５１ｂ（仕切り板３３ｂと連結され、図中において仕切り部２８ｃの上方側に配置）と仕切り板３３ｂとは空洞部３０ｃの側面を形成することとなる。
【００５４】
そして、仕切り板５１ａは仕切り板５１ｂの両端において折り返して、一体に形成される。また、空洞部３０ｃの側面を形成する仕切り板５１ｂは仕切り板３３ｂから折り曲げられて、仕切り板３３ｂと一体に形成される。さらに、空洞部３０ｆの側面を形成する仕切り板５１ｂは、仕切り板３３ａから折り曲げられて、仕切り板３３ａと一体に形成されている。
【００５５】
以上の構成により、第５の例と同様に、側面２５ｂと側面２５ｄの角を除く空洞部３０の角では、はんだ３２を塗布する必要がない。したがって、はんだ３２の溜まりや、不足などによる空洞部３０の形状のばらつきを小さくできる。したがって、挿入損失のばらつきの小さなフィルタ装置２１を得ることができる。
【００５６】
図７は第７の例におけるフィルタ装置２１の蓋を外した状態の上面図である。なお図７において、図１から図６および図８と同じものには、同じ名称を用いるとともに、同じ符号を付しており、ここではその説明は簡略化している。図７において、第７のフィルタ装置２１は、第２から第６の例のフィルタ装置２１に比べ、枠体２５内には空洞部３０ｇから空洞部３０ｌの６個の空洞部３０を有している点である。そして、第４の例における仕切り部２８ｃの先端部が、第３の例のようにＬ字型に折り曲げられている。また、空洞部３０ｇ、３０ｈ、３０ｉを仕切る仕切り部２８は、第２の例における仕切り部２８と同じである。
【００５７】
つまり、仕切り部２８ｃの先端が折り曲げられたことで、仕切り板３３ａが空洞部３０ｋの２側面を形成される。また空洞部３０ｋの側面を形成する仕切り板３３ａと仕切り板５１ａの角において、仕切り板５１ａは仕切り板３３ａから折り曲げられて、仕切り板３３ａ一体に形成されている。また、空洞部３０ｌの側面を形成する仕切り板５１ｂと仕切り板３３ａとの角において、仕切り板５１ｂは仕切り板３３ａから折り曲げられて、仕切り板３３ａと一体に形成されている。
【００５８】
これにより、側面２５ｂと側面２５ｄの角を除く空洞部３０の各角では、はんだ３２を塗布する必要がない。したがって、はんだ３２の溜まりや、不足などによる空洞部３０の形状のばらつきを小さくできる。したがって、挿入損失のばらつきの小さなフィルタ装置２１を得ることができる。
【産業上の利用可能性】
【００５９】
本発明にかかるフィルタ装置は、通過特性のばらつきが小さいという効果を有し、通信機器などの基地局において用いられるフィルタ等に用いると有用である。
【符号の説明】
【００６０】
２２  入力コネクタ
２３  フィルタ部
２４  出力コネクタ
２５  枠体
２５ａ  側面
２５ｂ  側面
２５ｃ  側面
２５ｄ  側面
２６  蓋体
２７  共振素子
２８  仕切り部
３２  はんだ
３３ａ  仕切り板
３３ｂ  仕切り板
【図１】
2011250050.tif 000003
【図２】
2011250050.tif 000004
【図３】
2011250050.tif 000005
【図４】
2011250050.tif 000006
【図５】
2011250050.tif 000007
【図６】
2011250050.tif 000008
【図７】
2011250050.tif 000009
【図８】
2011250050.tif 000010
【図９】
2011250050.tif 000011